(57)【要約】【課題】遊技機に併設される計数機の付いた台間装置にて計数を円滑に行わせること。【解決手段】遊技機及び台間メダル貸機の有する遊技に関する情報を収集・集計することにより未計数の差メダル数等を算出し、差メダル数等に係る所定の判定基準に従ってメダル計数促進の要否を判定する。メダル計数促進と判定した場合には台間メダル貸機にメダル計数を誘導するよう通知を行い、台間メダル貸機ではメダル計数を促すメッセージの表示やメダル計数ユニットのメダル投入口の位置をＬＥＤ表示し操作を誘導する。【選択図】図１
2014158630.tif 000002
【特許請求の範囲】
【請求項１】
遊技機による遊技を管理する遊技管理システムであって、
遊技機に併設され、遊技媒体を計数する計数手段と、
前記遊技により獲得され、前記計数手段による計数が行なわれていない未計数の遊技媒体の数を推定遊技媒体数として推定する推定手段と、
前記推定手段により推定された推定遊技媒体数に応じて、前記計数手段による計数を促す通知を行なう通知手段と
を備えたことを特徴とする遊技管理システム。
【請求項２】
前記通知手段は、計数対象の遊技媒体を投入する投入口近傍に設けられ、表示態様の変化により前記計数手段による計数を促す通知を行なうことを特徴とする請求項１に記載の遊技管理システム。
【請求項３】
前記推定手段は、前記遊技により消費された遊技媒体数と、前記遊技により払い出された遊技媒体数との差を前記推定遊技媒体数として算定し、
前記通知手段は、算定した推定遊技媒体数が所定数以上となる場合に通知を行なう
ことを特徴とする請求項１又は２に記載の遊技管理システム。
【請求項４】
前記推定手段は、前記遊技において発生した入賞回数に応じて前記推定遊技媒体数を推定することを特徴とする請求項１〜３のいずれか一つに記載の遊技管理システム。
【請求項５】
前記通知手段は、前記計数手段による計数を促す通知を行なった後、前記計数手段による計数が行なわれる前に所定の条件が成立した場合に、前記計数手段による計数を促す通知の態様を変更することを特徴とする請求項１〜４のいずれか一つに記載の遊技管理システム。
【請求項６】
前記通知手段は、前記計数手段による計数を促す通知を行なった後、前記計数手段による計数が行なわれる前に所定の条件が成立した場合に、遊技店店員に対して報知を行なうことを特徴とする請求項５に記載の遊技管理システム。
【請求項７】
前記計数手段は、前記推定遊技媒体数に応じて、計数準備動作の開始及び／又は終了タイミングを異ならせることを特徴とする請求項１〜６のいずれか一つに記載の遊技管理システム。
【請求項８】
計数対象の遊技媒体の前記計数手段への到達を阻害可能なシャッタ手段をさらに備え、
前記計数手段は、前記推定遊技媒体数に応じて前記シャッタ手段を制御し、前記計数対象の遊技媒体の前記計数手段への到達可否を制御することで前記計数準備動作の開始及び／又は終了タイミングを異ならせる
ことを特徴とする請求項７に記載の遊技管理システム。
【請求項９】
遊技機による遊技を管理する遊技管理方法であって、
遊技機に併設された計数部により遊技媒体を計数する計数ステップと、
前記遊技により獲得され、前記計数ステップによる計数が行なわれていない未計数の遊技媒体の数を推定遊技媒体数として推定する推定ステップと、
前記推定ステップにより推定された推定遊技媒体数に応じて、前記計数部による計数を促す通知を行なう通知ステップと
を含んだことを特徴とする遊技管理方法。
【発明の詳細な説明】
【技術分野】
【０００１】
この発明は、遊技機による遊技を管理する遊技管理システム及び遊技管理方法に関する。
【背景技術】
【０００２】
従来、遊技店では、遊技玉やメダル等の遊技媒体を貸し出す貸出機と、遊技媒体の計数を行なう計数機とが設置されるのが一般的である。貸出機は、各遊技機にそれぞれ併設されており、遊技客の操作に基づいて所定数の遊技媒体を投出するものである。遊技客は、貸出機から投出された遊技媒体を使用して遊技を行なうことができる。
【０００３】
一方、計数機は、遊技店内の島端などに設置される装置であり、遊技客が獲得した遊技媒体の計数を行なうとともに、計数結果を印字したレシートや計数結果を関連付けたカードを発行するものである。例えば、特許文献１には、投入されたメダルを回転円板で１枚ずつ繰り出し、この繰り出されたメダルの枚数を計数センサでカウントして計数を行なうメダル計数機が開示されている。計数機による計数結果は、景品カウンタなどで景品交換に使用することができる。
【先行技術文献】
【特許文献】
【０００４】
【特許文献１】特開平９−３５１０７号公報
【発明の概要】
【発明が解決しようとする課題】
【０００５】
しかしながら、遊技客の利便性の観点からは、遊技媒体の計数機も貸出機と同様に遊技機に併設されていることが望ましい。最近ではこの様な顧客ニーズを反映して、遊技玉を使用する遊技システムでは遊技台に併設される台間装置に計数機能を有した形態が普及してきている。またメダルを使用する遊技システムにおいても、同様に台間装置に計数機能をもった機種が出始めている。
【０００６】
遊技玉を使用する遊技システムにおける台間装置の計数機は、遊技機の受け皿のレバーの操作で計数を行うことが可能で、遊技客にとっては遊技機の受け皿から遊技媒体を取り出す必要もなく、遊技機側で操作ができることから分かり易い方式となっている。
【０００７】
ところが、メダルを使用する遊技システムにおいては、計数機が台間装置に組み込まれている機種は出てきているものの遊技機とは接続しておらず、計数機の投入口は台間装置側にあるケースが多い。このため遊技客は遊技媒体の計数をする場合には、遊技媒体を受け皿から手で取り出して、台間装置の計数機の投入口に入れるという操作が必要となり手間がかかる。また、メダル貸出機の払出口も台間装置側に付いているケースもあり、計数機の投入口と貸出機の払出口の両方があって、遊技客にとって操作が分かりにくいという問題もある。また、これらの問題点のため折角台間装置に計数機を持たせているのにもかかわらず、遊技客の利用率が低いというだけではなく、大当たりの発生時などの店員にかかる負担の軽減にもつながっていない。
【０００８】
すなわち、従来の技術及び直近の取り組みだけでは、メダルを使用した遊技システムの台間装置の計数機能の利用率が上がらず、遊技客の利便性の向上や遊技店店員の負担軽減の効果が十分に得られていないという問題があった。このため、メダルを使用する遊技システムにおいて遊技客に計数機の付いた台間装置にて計数を円滑に行わせることが重要な課題となっていた。
【０００９】
本発明は、上述した従来技術の課題を解消するためになされたものであって、計数機の付いた台間装置にて計数を円滑に行わせることができる遊技管理システム及び遊技管理方法を提供することを目的とする。
【課題を解決するための手段】
【００１０】
上述した課題を解決し、目的を達成するため、本発明は、遊技機による遊技を管理する遊技管理システムであって、遊技機に併設され、遊技媒体を計数する計数手段と、前記遊技により獲得され、前記計数手段による計数が行なわれていない未計数の遊技媒体の数を推定遊技媒体数として推定する推定手段と、前記推定手段により推定された推定遊技媒体数に応じて、前記計数手段による計数を促す通知を行なう通知手段とを備えたことを特徴とする。
【００１１】
また、本発明は、上記発明において、前記通知手段は、計数対象の遊技媒体を投入する投入口近傍に設けられ、表示態様の変化により前記計数手段による計数を促す通知を行なうことを特徴とする。
【００１２】
また、本発明は、上記発明において、前記推定手段は、前記遊技により消費された遊技媒体数と、前記遊技により払い出された遊技媒体数との差を前記推定遊技媒体数として算定し、前記通知手段は、算定した推定遊技媒体数が所定数以上となる場合に通知を行なうことを特徴とする。
【００１３】
また、本発明は、上記発明において、前記推定手段は、前記遊技において発生した入賞回数に応じて前記推定遊技媒体数を推定することを特徴とする。
【００１４】
また、本発明は、上記発明において、前記通知手段は、前記計数手段による計数を促す通知を行なった後、前記計数手段による計数が行なわれる前に所定の条件が成立した場合に、前記計数手段による計数を促す通知の態様を変更することを特徴とする。
【００１５】
また、本発明は、上記発明において、前記通知手段は、前記計数手段による計数を促す通知を行なった後、前記計数手段による計数が行なわれる前に所定の条件が成立した場合に、遊技店店員に対して報知を行なうことを特徴とする。
【００１６】
また、本発明は、上記発明において、前記計数手段は、前記推定遊技媒体数に応じて、計数準備動作の開始及び／又は終了タイミングを異ならせることを特徴とする。
【００１７】
また、本発明は、上記発明において、計数対象の遊技媒体の前記計数手段への到達を阻害可能なシャッタ手段をさらに備え、前記計数手段は、前記推定遊技媒体数に応じて前記シャッタ手段を制御し、前記計数対象の遊技媒体の前記計数手段への到達可否を制御することで前記計数準備動作の開始及び／又は終了タイミングを異ならせることを特徴とする。
【００１８】
また、本発明は、遊技機による遊技を管理する遊技管理方法であって、遊技機に併設された計数部により遊技媒体を計数する計数ステップと、前記遊技により獲得され、前記計数ステップによる計数が行なわれていない未計数の遊技媒体の数を推定遊技媒体数として推定する推定ステップと、前記推定ステップにより推定された推定遊技媒体数に応じて、前記計数部による計数を促す通知を行なう通知ステップとを含んだことを特徴とする。
【発明の効果】
【００１９】
本発明によれば、遊技により獲得され、計数手段による計数が行なわれていない未計数の遊技媒体の数を推定遊技媒体数として推定し、推定遊技媒体数に応じて計数手段による計数を促す通知を行なうよう構成したので、計数機の付いた台間装置にて計数を円滑に行わせることができる。
【図面の簡単な説明】
【００２０】
【図１】図１は、本実施例に係る遊技管理方法の概念を説明するための説明図である。
【図２】図２は、図２は、遊技店のシステム構成を示す図である。
【図３】図３は、図２に示した遊技機及び台間メダル貸機の外観構成を示す図である。
【図４】図４は、図２に示した台間メダル貸機の本実施例に係る内部構成を示すブロック図である。
【図５】図５は、図２に示した台間メダル貸機の本実施例に係るデータ構成について説明するための説明図である。
【図６】図６は、図２に示したカード管理装置の本実施例に係る内部構成を示すブロック図である。
【図７】図７は、図２に示したカード管理装置の本実施例に係るデータ構成について説明するための説明図である。
【図８】図８は、図２に示したカード管理装置の遊技媒体計数の要否の判定及び遊技媒体計数誘導通知の処理手順について説明するためのフローチャートである。
【図９】図９は、差メダル枚数を算出するために必要なデータの収集方法に関しての他の方法を説明するための説明図である。
【発明を実施するための形態】
【００２１】
以下に、添付図面を参照して、本発明に係る遊技管理システム及び遊技管理方法の好適な実施例を詳細に説明する。
【実施例】
【００２２】
まず、本実施例に係る遊技管理方法の概念について説明する。図１は、本実施例に係る遊技管理方法の概念を説明するための説明図である。
【００２３】
遊技機２０は、遊技客の遊技によるメダルの消費、メダルの賞出及び大当たりなどを認識することができる。遊技機２０は、消費メダル枚数、賞出メダル枚数及び大当たり発生を台間メダル貸機１０に通知する。
【００２４】
台間メダル貸機１０は、遊技機２０から消費メダル枚数、賞出メダル枚数及び大当たり発生の通知を受け付けると、遊技客を識別するカードＩＤを付加してそれらの情報をカード管理装置４０に通知する。また、台間メダル貸機１０は、遊技客による台間メダル貸機１０における貸メダル、貯メダル再プレイ、持メダル再プレイ及び計数操作を認識したならば、遊技客を識別するカードＩＤを付加して貸出メダル枚数、貯メダル再プレイ枚数、持メダル再プレイ枚数、計数メダル枚数をカード管理装置４０に通知する。
【００２５】
カード管理装置４０は、台間メダル貸機１０から受付けたカードＩＤと消費メダル枚数、賞出メダル枚数、大当たり発生、貸出メダル枚数、貯メダル再プレイ枚数、持メダル再プレイ枚数及び計数メダル枚数から、カードＩＤ毎に集計することによって、カードＩＤ毎の差メダル枚数及び大当たり回数を算出することができる。該差メダル枚数及び大当たり回数と所定の判定基準である閾値との比較によって、計数要否の判定を行う。
【００２６】
カード管理装置４０は、計数が必要であると判定した場合には、台間メダル貸機１０に対して計数誘導通知を行い、該通知を受けた台間メダル貸機１０は計数促進メッセージを表示装置に表示したり、メダル計数時にメダルを投入するメダル投入口のＬＥＤの点灯／点滅などによるガイドを行う。
【００２７】
次に、遊技店のシステム構成について説明する。図２は、遊技店のシステム構成を示す図である。図２に示すように、遊技店には、複数の遊技機２０と、各遊技機２０にそれぞれ対応して設けられた台間メダル貸機１０とが設置される。台間メダル貸機１０は、島コントローラ３０を介して店内のネットワークである通信回線と接続する。通信回線には、島コントローラ３０と、カード管理装置４０と、会員管理装置５０と、景品管理装置６０と、精算機８０とが接続される。
【００２８】
遊技機２０は、遊技媒体であるメダルをメダル投入口２３に投入して、３個のドラムを回転させるとともに、ストップボタンを順次押して絵柄をそろえることにより遊技を行うスロットマシンである。３つのドラムの有効ラインに一定の絵柄が揃うと、遊技機２０は、絵柄の種類に応じた枚数のメダルを獲得メダルとして払い出す。
【００２９】
台間メダル貸機１０は、入金の受付、メダルの貸し出し並びにカード管理装置４０との通信を行う。台間メダル貸機１０は、遊技客が投入した紙幣を受け付けたならば、入金額を含む入金通知をカード管理装置４０に送信することで、プリペイド価値をカード管理装置４０が管理するプリペイド価値に加算させる。そして、所定のメダル貸操作がなされたならば、メダル貸要求をカード管理装置４０に送信し、カード管理装置４０が管理するプリペイド価値を減算させて、減算したプリペイド価値分に対応する数のメダルを払い出す。
【００３０】
また、台間メダル貸機１０は、カードの挿入を受け付けたならば、カード管理装置４０にカード挿入通知を送信する。また、台間メダル貸機１０は、カード管理装置４０からプリペイド価値、持メダル口座又は貯メダル口座の残高を受信した場合には、該残高を記憶する。そして、持メダル口座の残高を受信し、記憶した場合には、カード管理装置４０に対して持メダル減算要求を送信することで、カード管理装置４０が管理する持メダル口座の残高をゼロにクリアする。
【００３１】
また、台間メダル貸機１０は、持メダル再プレイ操作を受け付けると、自装置が管理する持メダル口座の残高を所定数減算し、減算した数に対応する数のメダルを払い出す。また、台間メダル貸機１０は、貯メダル再プレイ操作を受け付けると、カード管理装置４０に対して貯メダル再プレイ要求を送信することで、会員管理装置５０が管理する貯メダル口座の残高を所定数減算させ、減算した数に対応する数のメダルを払い出す。
【００３２】
台間メダル貸機１０は、カード返却操作を受け付けたならば、自装置が管理する持メダル口座の残高を含む持メダル加算要求をカード管理装置４０に送信し、カード管理装置４０に持メダルを加算させた後、カード排出通知をカード管理装置４０に送信し、カードを排出制御する。
【００３３】
島コントローラ３０は、遊技島に設けられた一群の遊技機２０及び台間メダル貸機１０を束ねる中継装置である。カード管理装置４０は、カードのプリペイド価値及び持メダル数等をカードデータとして管理する管理装置である。
【００３４】
カード管理装置４０は、台間メダル貸機１０からカード挿入通知を受信したならば、挿入されたカードのカードＩＤと台間メダル貸機１０とを関連づけて管理し、該カードＩＤに関連づけられたプリペイド価値及び持メダル口座の残高を台間メダル貸機１０に送信する。また、カード挿入通知に示されたカードＩＤが会員カードのカードＩＤである場合には、該カードＩＤに関連づけられた貯メダル口座の残高を会員管理装置５０から取得し、プリペイド価値及び持メダル口座の残高とともに台間メダル貸機１０に送信する。
【００３５】
また、カード管理装置４０は、台間メダル貸機１０から持メダル減算要求を受信した場合には、持メダル口座の残高をゼロにクリアし、台間メダル貸機１０から持メダル加算要求を受信した場合には、持メダル加算要求に示された持メダル数を持メダル口座に加算する。
【００３６】
また、カード管理装置４０は、台間メダル貸機１０からメダル貸要求を受信した場合には、対応するプリペイド価値を所定値減算し、メダル貸許可を台間メダル貸機１０に送信する。そして、貯メダル再プレイ要求を受信した場合には、該貯メダル再プレイ要求を会員管理装置５０に送信し、会員管理装置５０が貯メダル再プレイ許可を出力した場合には、貯メダル再プレイ許可を台間メダル貸機１０に送信する。
【００３７】
また、カード管理装置４０は、景品管理装置６０からカードＩＤを受信したならば、このカードＩＤに関連付けられた持メダル口座の残高を景品管理装置６０に対して通知する。さらに、精算機８０からカードＩＤを受信したならば、このカードＩＤに関連付けられたプリペイド価値を精算機８０に対して通知する。
【００３８】
また、カード管理装置４０は、無線発信装置４６を備えており、カード管理装置４０から店員への報知を行う場合には、該無線発信装置４６を経由して店員の装着するインカム７０に音声によるメッセージを送ることが可能である。
【００３９】
会員管理装置５０は、遊技店に会員登録された会員の会員管理データを管理する管理装置である。具体的には、会員に対して発行した会員カードＩＤに関連づけて、貯メダル数、ポイント、暗証番号及び氏名等を管理する。
【００４０】
会員管理装置５０は、カード管理装置４０から貯メダル口座残高の問い合わせを受けたならば、指定されたカードＩＤに対応する貯メダル口座の残高をカード管理装置４０に通知する。また、会員管理装置５０は、カード管理装置４０を介して貯メダル再プレイ要求を受信したならば、貯メダル再プレイ要求に示されたカードＩＤに関連づけられた貯メダル口座の残高を所定数減算し、貯メダル再プレイ許可を出力する。
【００４１】
また、会員管理装置５０は、景品管理装置６０から貯メダル口座残高の問い合わせを受けたならば、指定されたカードＩＤに対応する貯メダル口座の残高を景品管理装置６０に通知する。
【００４２】
景品管理装置６０は、遊技店内の景品交換カウンタに併設された景品交換用の端末装置であり、獲得玉、貯メダル及び持メダルの景品交換処理を行う。この景品管理装置６０には、カードのカードＩＤを読み取るリーダライタ並びに景品を払い出す景品払出装置が接続されている。景品管理装置６０は、リーダライタがカードを受け付けた場合には、リーダライタで読み出したカードのカードＩＤをカード管理装置４０に送信して、該カードの持メダル口座残高を要求する。また、貯メダルを景品交換する場合は、会員管理装置５０に対して貯メダル口座残高を要求する。
【００４３】
精算機８０は、プリペイド価値が対応付けられたカードが挿入されると、該カードのカードＩＤをカード管理装置４０に送信し、該カードに関連付けられたプリペイド価値を取得し、取得したプリペイド価値に相当する現金の払出を行う。
【００４４】
図２に示したシステムでメダル貸しを行う場合のメダル貸処理について説明する。遊技客が台間メダル貸機１０に対してメダル貸操作を行うと、台間メダル貸機１０は、カード管理装置４０のローカルＩＰアドレスを宛先として指定した電文を送信する。この電文は、台間メダル貸機１０に挿入されているカードのカードＩＤと、送信元である台間メダル貸機１０を特定するＩＰアドレス若しくは任意の識別情報と、メダル貸要求とを含む。
【００４５】
カード管理装置４０は、メダル貸要求を含む電文を受信すると、該電文内のカードＩＤに関連付けられたプリペイド価値を所定値（例えば、１００円＝１度数の場合に５度数）減算してカード管理データを更新し、メダル貸許可を送信元の台間メダル貸機１０に送信する。メダル貸許可を受信した台間メダル貸機１０は、減算したプリペイド価値に対応する数（例えば２５枚）のメダルを払い出す。
【００４６】
次に、図２に示したシステムで持メダルの再プレイを行う場合の持メダル再プレイ処理について説明する。台間メダル貸機１０は、一般カードあるいは会員カードの挿入を受け付けた場合に、カード管理装置４０のローカルＩＰアドレスを宛先として指定した電文を送信する。この電文は、台間メダル貸機１０に挿入されているカードのカードＩＤと、送信元である台間メダル貸機１０を特定するＩＰアドレス若しくは任意の識別情報と、台間メダル貸機１０のレートを特定するための情報と、カード挿入通知とを含む。
【００４７】
カード管理装置４０は、台間メダル貸機１０からカード挿入通知を受信した場合には、該電文内のカードＩＤに関連付けられた持メダル口座のうち、該電文により特定されたレートの持メダル口座の残高を台間メダル貸機１０に通知する。
【００４８】
台間メダル貸機１０は、カード管理装置４０から受信した持メダルの残高を記憶する。そして、カードＩＤ及びレートを特定する情報と、持メダル減算要求とを含む電文をカード管理装置４０に送信する。カード管理装置４０は、持メダル減算要求を受信した場合には、カードＩＤ及びレートにより特定される持メダル口座の残高をゼロにクリアする。台間メダル貸機１０は、持メダル再プレイ操作を受け付けた場合には、記憶した持メダルの残高を所定数減算し、対応する数のメダルを払い出す。
【００４９】
台間メダル貸機１０は、カード返却操作を受け付けた場合には、カード管理装置４０に対して持メダル加算要求を含む電文を送信する。この電文は、排出するカードのカードＩＤと、送信元である台間メダル貸機１０を特定するＩＰアドレス若しくは任意の識別情報と、台間メダル貸機１０のレートを特定するための情報と、持メダルの残高と、持メダル加算要求とを含む。
【００５０】
カード管理装置４０は、持メダル加算要求を受け付けた場合には、該電文内のカードＩＤに関連付けられた持メダル口座のうち、該電文により特定されたレートの持メダル口座の残高を受信した残高の値に更新する。
【００５１】
その後、台間メダル貸機１０は、カード管理装置４０にカード排出通知を送信し、カードを排出制御する。
【００５２】
次に、図２に示したシステムで貯メダルの再プレイを行う場合の貯メダル再プレイ処理について説明する。台間メダル貸機１０は、会員カードを挿入された場合、若しくは会員カードとして使用可能な携帯端末からカードＩＤに対応する識別情報を読み取った場合に、カード管理装置４０のローカルＩＰアドレスを宛先として指定した電文を送信する。この電文は、台間メダル貸機１０に挿入されているカードのカードＩＤ（若しくは携帯端末から読み取ったカードＩＤに対応する識別情報。以降、カードＩＤという）と、送信元である台間メダル貸機１０を特定するＩＰアドレス若しくは任意の識別情報と、台間メダル貸機１０のレートを特定するための情報と、カード挿入通知とを含む。
【００５３】
カード管理装置４０は、カード挿入通知の電文を会員管理装置５０に送信する。会員管理装置５０は、カード挿入通知の電文を受信した場合には、該電文内のカードＩＤに関連付けられた暗証番号と、貯メダル口座のうち、該電文により特定されたレートの貯メダル口座の残高と、を含む貯メダル再プレイデータを台間メダル貸機１０に送信する。
【００５４】
台間メダル貸機１０は、受信した貯メダル再プレイデータを記憶し、貯メダル再プレイデータに示された貯メダル口座の残高が貯メダル再プレイにおけるメダルの払出単位数（貯メダル再プレイ単位数。例えば２５枚）以上である場合には貯メダル再プレイ操作を受け付け可能とする。
【００５５】
台間メダル貸機１０は、貯メダル再プレイデータの記憶後、最初に貯メダル再プレイ操作を受け付けた場合に、遊技客に対して暗証番号の入力を求め、入力された暗証番号が貯メダル再プレイデータに示された暗証番号と一致するかを確認する。
【００５６】
台間メダル貸機１０は、暗証番号が一致した場合に、カード管理装置４０のローカルＩＰアドレスを宛先として指定した電文を送信する。この電文は、台間メダル貸機１０に挿入されているカードのカードＩＤと、送信元である台間メダル貸機１０を特定するＩＰアドレス若しくは任意の識別情報と、台間メダル貸機１０のレートを特定するための情報と、貯メダル再プレイ要求とを含む。
【００５７】
カード管理装置４０は、貯メダル再プレイ要求の電文を会員管理装置５０に送信する。会員管理装置５０は、貯メダル再プレイ要求の電文を受信した場合には、該電文内のカードＩＤに関連付けられた貯メダル口座のうち、該電文により特定されたレートの貯メダル口座の残高を所定値減算し、減算後の残高を含む貯メダル再プレイデータを台間メダル貸機１０に送信する。
【００５８】
台間メダル貸機１０は、貯メダル再プレイデータを受信して貯メダル口座の残高を更新し、メダルを貯メダル再プレイ単位数だけ払い出す。また、更新後の貯メダル口座の残高が貯メダル再プレイ単位数未満となったかを判定し、貯メダル再プレイ単位数未満となったならば、貯メダル再プレイ操作を受け付け不能とする。更新後の貯メダル口座の残高が貯メダル再プレイ単位数以上であれば、再度貯メダル再プレイ操作を受け付け可能であり、貯メダル再プレイ操作を受け付けた場合には貯メダル再プレイ要求を送信する。２回目以降の貯メダル再プレイ操作では、暗証番号の確認は不要である。
【００５９】
次に、閉店処理における持メダルからの貯メダルへの移行について説明する。カード管理装置４０は、閉店処理時にカード管理データの持メダル口座の残高を確認し、持メダルの残高が「０」より大きい持メダル口座が存在する場合には、該持メダル口座の残高をカードＩＤ及びレートとともに会員管理装置５０に通知する。会員管理装置５０は、カードＩＤ及びレートにより特定される貯メダル口座の残高に通知された持メダル口座残高を加算して更新する。その後、カード管理装置４０は、該持メダル口座の残高をゼロにクリアする。
【００６０】
次に、図２に示した遊技機２０及び台間メダル貸機１０の外観構成について説明する。図３は、遊技機２０及び台間メダル貸機１０の外観構成を示す図である。
【００６１】
図３に示すように、遊技機２０は、３つのドラムを有するドラム部２１と、各種表示を行なう表示部２２と、メダル投入口２３と、ドラムの回転開始操作を受け付けるスタートレバーやドラムに対応して設けられた３つのストップボタン等を有する操作部２４と、遊技機２０から払い出されたメダルを受け入れる受け皿２５とを有する。
【００６２】
また、台間メダル貸機１０は、メダルを貸し出す際の各種紙幣を受け付ける紙幣挿入口１２ａと、タッチパネルディスプレイ等の表示操作部１３と、カードを受け付けるカード挿入口１４ａと、携帯端末等をかざすためのかざし部１４ｂと、メダルを投出するメダル払出口１８ａと、計数対象のメダルの投入を受け付けるメダル投入口１９ａとを有する。メダル投入口１９ａの皿の最前部には光の色、点灯／点滅の制御が可能なメダル投入口ＬＥＤ１９ｂがある。
【００６３】
次に、図２に示した台間メダル貸機１０の内部構成について説明する。図４は、図２に示した台間メダル貸機１０の内部構成を示すブロック図である。図４に示すように、台間メダル貸機１０は、紙幣搬送部１２と、表示操作部１３と、リーダライタ１４と、かざし部１４ｂと、通信部１５と、記憶部１６と、制御部１７と、払出ユニット１８と、計数ユニット１９とを有する。
【００６４】
紙幣搬送部１２は、紙幣挿入口１２ａから挿入された紙幣の金種及び真偽を判別しつつ図示しない紙幣収納部に搬送する搬送部である。リーダライタ１４は、カード挿入口１４ａに挿入されたカードからカードＩＤを読み取る読取部である。なお、カード挿入口１４ａに挿入されたカードは、このリーダライタ１４を経て図示しないカード収納部に収納される。通信部１５は、通信回線との間のデータ通信を行なうためのインタフェース部である。
【００６５】
記憶部１６は、ハードディスク装置や不揮発性メモリ等からなる記憶デバイスである。記憶部１６は、カードＩＤ１６ａ、有価価値データ１６ｂ、差メダルデータ１６ｃ、計数誘導レベル１６ｄ及び計数誘導レベル別動作設定データ１６ｅを記憶する。
【００６６】
カードＩＤ１６ａは、リーダライタ１４により読み取られたカードＩＤである。図示しないカード収納部からリーダライタ１４にカードが搬送された場合には、リーダライタ１４により読み取られたカードＩＤによってカードＩＤ１６ａが更新される。また、カード挿入口１４ａから図示しないカード収納部にカードが搬送される場合にも、この搬送途中でリーダライタ１４により読み取られたカードＩＤによってカードＩＤ１６ａが更新される。
【００６７】
有価価値データ１６ｂは、遊技媒体の払出を受けるために使用可能な有価価値を示すデータである。この有価価値には、メダル貸しに使用可能なプリペイド価値の残高、持メダル口座の残高並びに貯メダル口座の残高を含む。
【００６８】
差メダルデータ１６ｃは、台間メダル貸機１０を使用中の遊技客の差玉の情報である。差メダルデータ１６ｃは、カード挿入時にカード管理装置４０で管理している該カードに関連付けられた差メダル情報を入手して上書きされたものである。また遊技客の遊技中は遊技機２０から受付けた消費メダル枚数、賞出メダル枚数の通知と、台間メダル貸機１０で行われた貸メダル操作、貯メダル再プレイ操作、持メダル再プレイ操作、メダル計数操作によって対応するデータを都度更新し、（賞出メダル枚数＋貸出メダル枚数＋貯メダル再プレイ枚数＋持メダル再プレイ枚数）−（消費メダル枚数＋計数メダル枚数）によって算出される差メダル数は随時更新される。
【００６９】
計数誘導レベル１６ｄは、カード管理装置４０にて計数要否の判定後にカード管理装置４０から通知された最終のものを記憶している。
【００７０】
計数誘導レベル別動作設定データ１６ｅは、カード管理装置４０から通知された計数誘導レベル１６ｄに対して、レベル別の動作を設定したものであり、表示操作部１３に表示するメッセージ内容や、メダル投入口ＬＥＤ１９ｂの表示色や点灯／点滅の区分を規定したものである。
【００７１】
制御部１７は、台間メダル貸機１０を全体制御する制御部であり、データ管理部１７ａ、差メダル情報通知部１７ｂ、計数処理部１７ｃ及び計数誘導制御部１７ｄを有する。
【００７２】
データ管理部１７ａは、カードが挿入された場合に、カードＩＤ１６ａ及び装置ＩＤを含むカード挿入通知をカード管理装置４０に送信する。また、データ管理部１７ａは、カード管理装置４０から有価価値（プリペイド価値、持メダル及び貯メダルの少なくともいずれか）を受信した場合に、受信した有価価値により有価価値データ１６ｂを更新する。また、データ管理部１７ａは、カード管理装置４０から差メダルに関する情報を受信した場合には、受信した差メダルに関する情報により差メダルデータ１６ｃを更新する。データ管理部１７ａは、有価価値データ１６ｂに示されたプリペイド価値、持メダル数及び貯メダル数を適宜表示操作部１３に表示制御する。
【００７３】
また、データ管理部１７ａは、遊技客によりメダル貸操作が行なわれた場合に、カードＩＤ１６ａ及び装置ＩＤを含むメダル貸要求をカード管理装置４０に送信する。このメダル貸要求への応答としてメダル貸許可を受信したならば、データ管理部１７ａは、所定数のメダルを払い出す。
【００７４】
また、データ管理部１７ａは、遊技客により持メダル再プレイ操作が行なわれた場合に、有価価値データ１６ｂに示された持メダル口座の残高を所定数減算し、対応する数のメダルを払い出す。
【００７５】
また、データ管理部１７ａは、遊技客により貯メダル再プレイ操作が行なわれた場合に、カードＩＤ１６ａ及び装置ＩＤを含む貯メダル再プレイ要求をカード管理装置４０に送信する。この貯メダル再プレイ要求への応答として貯メダル再プレイ許可を受信したならば、データ管理部１７ａは、所定数のメダルを払い出す。
【００７６】
また、データ管理部１７ａは、遊技客によりカード返却操作が行なわれた場合に、カードＩＤ１６ａ、装置ＩＤ並びに持メダル数を含む持メダル加算要求をカード管理装置４０に送信して、自装置持メダル口座の残高を０にクリアした後、カード排出通知をカード管理装置４０に送信し、カードを排出する。
【００７７】
また、データ管理部１７ａは、紙幣挿入口１２ａに紙幣が挿入されると、挿入された紙幣の金額、カードＩＤ１６ａ及び装置ＩＤを含む入金通知をカード管理装置４０に送信する。
【００７８】
差メダル情報通知部１７ｂは、遊技機２０から消費メダル枚数及び賞出メダル枚数の通知を受付けると、受付けた内容で差メダルデータ１６ｃの消費メダル枚数、賞出メダル枚数及び差メダル枚数を更新するとともに、遊技機２０から受付けた内容にカードＩＤ１６ａを付加してカード管理装置４０に送信する。また、差メダル情報通知部１７ｂは、遊技機２０から大当たりの通知を受付けると、遊技機２０から受付けた内容にカードＩＤ１６ａを付加してカード管理装置４０に送信する。
【００７９】
また、差メダル情報通知部１７ｂは、台間メダル貸機１０でメダル貸操作によるメダルの払出が行われると、差メダルデータ１６ｃの貸出メダル枚数と差メダル枚数の更新を行い、カード管理装置４０にカードＩＤ１６ａと貸出メダル数の通知を行う。
【００８０】
また、差メダル情報通知部１７ｂは、台間メダル貸機１０で貯メダル再プレイ操作によるメダルの払出が行われると、差メダルデータ１６ｃの貯メダル再プレイ枚数と差メダル枚数の更新を行い、カード管理装置４０にカードＩＤ１６ａと貯メダル再プレイ枚数の通知を行う。
【００８１】
また、差メダル情報通知部１７ｂは、台間メダル貸機１０で持メダル再プレイ操作によるメダルの払出が行われると、差メダルデータ１６ｃの持メダル再プレイ枚数と差メダル枚数の更新を行い、カード管理装置４０にカードＩＤ１６ａと持メダル再プレイ枚数の通知を行う。
【００８２】
また、差メダル情報通知部１７ｂは、台間メダル貸機１０の計数ユニット１９にて計数操作が行われると、差メダルデータ１６ｃの計数メダル枚数と差メダル枚数の更新を行い、カード管理装置４０にカードＩＤ１６ａと計数メダル枚数の通知を行う。
【００８３】
計数処理部１７ｃは、メダル投入口１９ａより計数ユニット１９に投入されたメダルの計数処理を行い、有価価値データ１６ｂの持メダル残高に計数したメダルの枚数を加算する。
【００８４】
また、計数処理部１７ｃは、差メダルデータ１６ｃを利用して、計数ユニット１９の計数終了判定時間を動的に設定する。計数ユニット１９の計数終了判定時間とは、計数ユニット１９に投入した全てのメダルの計数処理が終了して未計数の残メダルが無いことを検知してから計数終了とするまでの時間である。具体的には、差メダルデータ１６ｃの差メダル枚数が把握できていることから、差メダル枚数に近い枚数まで計数して未計数の残メダルが無いことを検知した時は計数終了判定時間を短く、そうでない場合には計数終了判定時間を長く設定することによって、機械部の不要な動作による電力消費の回避や不要動作による装置の故障回避の効果が期待できる。
【００８５】
また、メダル投入口１９ａにメダル計数する時に開き、メダル計数しない時に閉じるようなシャッタ機構がついているケースにおいては、計数処理部１７ｃは、差メダルデータ１６ｃの差メダル枚数を利用して、差メダル枚数が大きくなると自動的にシャッタが開くというようなシャッタの自動開閉制御を実施することも可能である。
【００８６】
また、差メダルデータ１６ｃの差メダル枚数が分かっていることから、計数処理部１７ｃは、差メダル枚数を上回って計数された場合には不正に持ち込んだメダルの計数が行われた可能性があるとしてアラート発報することも可能である。
【００８７】
計数誘導制御部１７ｄは、カード管理装置４０から計数誘導のレベルを含む計数誘導通知を受付けたならば、受付けた計数誘導のレベルを計数誘導レベル１６ｄに記憶する。また計数誘導制御部１７ｄは、計数誘導レベル別動作設定データ１６ｅを参照して通知された計数誘導のレベルに対応する処理を実施する。具体的には計数誘導レベル別動作設定データ１６ｅに設定された計数誘導のレベルに対応するメッセージを表示操作部１３に表示し、メダル投入口ＬＥＤ１９ｂを計数誘導レベル別動作設定データ１６ｅに設定された計数誘導のレベルに対応する表示形態に変更する。
【００８８】
次に、図２に示した台間メダル貸機１０の本実施例に係るデータ構成について説明する。図５は、台間メダル貸機１０の本実施例に係るデータ構成について説明するための説明図である。
【００８９】
差メダルデータ１６ｃは、消費メダル枚数、賞出メダル枚数、貸出メダル枚数、貯メダル再プレイ枚数、持メダル再プレイ枚数、計数メダル枚数及び差メダル枚数を有する。差メダル枚数は、（賞出メダル枚数＋貸出メダル枚数＋貯メダル再プレイ枚数＋持メダル再プレイ枚数）−（消費メダル枚数＋計数メダル枚数）によって算出される。
【００９０】
図５の差メダルデータ１６ｃは、消費メダル枚数が「５００」、賞出メダル枚数が「３００」、貸出メダル枚数が「２００」、貯メダル再プレイ枚数が「３００」、持メダル再プレイ枚数が「０」、計数メダル枚数が「２５０」で、これらから算出した差メダル枚数が「５０」であることを示す。
【００９１】
計数誘導レベル別動作設定データ１６ｅは、計数誘導レベル別にメダル投入口ＬＥＤ色、ＬＥＤ点滅区分、表示操作部表示色及び表示操作部１３の表示文言の指定ができる。図５の計数誘導レベル別動作設定データ１６ｅは、計数誘導レベル「１」に対してメダル投入口ＬＥＤ色が「緑」、ＬＥＤ点滅区分が「点灯」、表示操作部表示色が「青」で表示操作部表示文言が「トレーのメダルが多くなってきました。本装置の緑色に点灯する部分でメダル計数ができます。」で、計数誘導レベル「２」に対してメダル投入口ＬＥＤ色が「黄」、ＬＥＤ点滅区分が「点滅」、表示操作部表示色が「赤」で表示操作部表示文言が「本装置の黄色に点滅する部分でメダル計数ができます。あふれる前に計数しましょう。」であることを示す。
【００９２】
次に、図２に示したカード管理装置４０の本実施例に係る内部構成を説明する。図６は、カード管理装置４０の内部構成を示すブロック図である。図６に示すように、カード管理装置４０は、表示部４１、入力部４２及び無線発信装置４６と接続される。表示部４１は、液晶パネル等のディスプレイ装置であり、入力部４２は、キーボードやマウス等であり、無線発信装置４６は店員の装着するインカム７０との無線通信を行う装置である。
【００９３】
また、カード管理装置４０は、通信部４３と、記憶部４４と、制御部４５とを有する。通信部４３は、通信回線を介して台間メダル貸機１０と通信するためのインタフェース部である。
【００９４】
記憶部４４は、ハードディスク装置や不揮発性メモリ等の記憶デバイスであり、カードデータ４４ａ、差メダルデータ４４ｂ、計数誘導データ４４ｃ及び判定閾値データ４４ｄを記憶する。
【００９５】
カードデータ４４ａは、カードＩＤにプリペイド価値と、レート毎の持メダル数とを対応づけたデータである。
【００９６】
差メダルデータ４４ｂは、計数誘導を行うか否かの判定対象となる差メダル枚数等のデータを記憶している。具体的には、差メダルデータ４４ｂには、台間メダル貸機１０の差メダル情報通知部１７ｂが通知してくるカードＩＤに対応付けられた消費メダル枚数、賞出メダル枚数、大当たり発生、貸出メダル枚数、貯メダル再プレイ枚数、持メダル再プレイ枚数及び計数メダル枚数の通知を受けた情報を蓄積し、それらの値の集計により算出した差メダル枚数を記憶する。また、差メダルデータ４４ｂには、明示的に持メダル数のデータは保有していないが、差メダルデータ４４ｂの持メダル再プレイ枚数及び計数メダル枚数の値から、（計数メダル枚数）−（持メダル再プレイ枚数）で持メダル数を算出することができる。また、差メダルデータ４４ｂは、計数誘導の通知を送付する際の台間メダル貸機１０を特定するために、カードＩＤに対応する遊技客の最後に遊技していた遊技機２０に対応する台間メダル貸機１０の識別番号を記憶している。また、差メダルデータ４４ｂに記憶している大当たり回数は、計数されたタイミングでゼロクリアされる。
【００９７】
計数誘導データ４４ｃは、計数誘導が必要と判定されて計数誘導通知を行っているカードＩＤと計数誘導のレベルを記憶している。カードＩＤと台間メダル貸機１０の対応付けは、カードＩＤをキーにして差メダルデータ４４ｂの台間メダル貸機識別番号で行うことができる。
【００９８】
判定閾値データ４４ｄは、計数誘導レベルの判定基準を記憶している。本実施例では差メダル枚数と最後の計数以降の大当たり回数を判定基準としており、その閾値を有している。いずれかの判定基準の閾値を超えたことによって、計数誘導有無と計数誘導レベルを判定するものとする。差メダル枚数と大当たり回数によって計数誘導レベルの判定が異なる場合には、計数誘導レベルの高い方を優先とする。
【００９９】
また、計数誘導通知を行っているにもかかわらず一定時間計数がされないケースには計数誘導レベルを上げる機能のために、計数誘導レベル毎に計数誘導レベルアップタイマ値を設け、該タイマ値は判定閾値データ４４ｄに含まれている。タイマは計数誘導通知の送信直後にセットされ、該タイマ値の時間経過しても計数等による計数誘導レベルの変化が無い場合にはタイムアウトが発生する。タイムアウト発生の記録は計数誘導データ４４ｃのタイムアウト発生有無に「有」と記憶される。
【０１００】
制御部４５は、カード管理装置４０を全体制御する制御部であり、カードデータ管理部４５ａ、差メダル算出部４５ｂ、計数要否判定部４５ｃ、計数誘導通知部４５ｄ及びタイマ監視部４５ｅを有する。実際には、これらの機能部に対応するプログラムを図示しないＲＯＭ等の不揮発性メモリに記憶しておき、これらのプログラムをＣＰＵ（Ｃｅｎｔｒａｌ  Ｐｒｏｃｅｓｓｉｎｇ  Ｕｎｉｔ）にロードして実行することにより実現される。
【０１０１】
カードデータ管理部４５ａは、カードデータ４４ａに対するデータの登録、更新及び削除を行う処理部である。カードデータ管理部４５ａは、台間メダル貸機１０からカードＩＤ、プリペイド価値及び持玉数を受信したならば、受信したカードＩＤに対応付けられたプリペイド価値を受信したプリペイド価値に置き換え、受信したカードＩＤに対応付けられた持玉口座の玉数を受信した持玉数に置き換える。
【０１０２】
また、カードデータ管理部４５ａは、カードデータ４４ａを通知する処理部でもある。カードデータ管理部４５ａは、台間メダル貸機１０からカードＩＤを受信したならば、該カードＩＤに対応付けられたプリペイド価値並びに持玉口座の残高を台間メダル貸機１０に通知する。
【０１０３】
また、カードデータ管理部４５ａは、カードＩＤに対応付けられた差メダルデータ４４ｂを通知する処理部でもある。カードデータ管理部４５ａは、台間メダル貸機１０からカードＩＤを受信したならば、該カードＩＤに対応する情報を差メダルデータ４４ｂより検索して台間メダル貸機１０に通知する。
【０１０４】
差メダル算出部４５ｂは、台間メダル貸機１０からカードＩＤと消費メダル枚数、賞出メダル枚数、貸出メダル枚数、貯メダル再プレイ枚数、持メダル再プレイ枚数、計数メダル枚数のいずれかが通知された場合には、通知されたカードＩＤに対応する差メダルデータ４４ｂの消費メダル枚数、賞出メダル枚数、貸出メダル枚数、貯メダル再プレイ枚数、持メダル再プレイ枚数、計数メダル枚数のいずれかに通知された枚数を加算して、併せて差メダル枚数を更新する。
【０１０５】
また、差メダル算出部４５ｂは、台間メダル貸機１０からカードＩＤと大当たりの通知を受付けた場合には、通知されたカードＩＤに対応する大当たり回数を１カウントアップする。また、差メダル算出部４５ｂは、台間メダル貸機１０からカードＩＤと計数メダル枚数が通知された場合には前記処理に加えて、差メダルデータ４４ｂの大当たり回数をゼロクリアする。
【０１０６】
また、差メダル算出部４５ｂは、台間メダル貸機１０からカードＩＤと消費メダル枚数、賞出メダル枚数、貸出メダル枚数、貯メダル再プレイ枚数、持メダル再プレイ枚数、計数メダル枚数、大当たりのいずれかが通知された場合には、送付元の台間メダル貸機１０の台間メダル貸機識別番号を差メダルデータ４４ｂの台間メダル貸機識別番号に記憶する。これによって、遊技客が遊技機２０を移動した時も移動先の遊技機２０に対応する台間メダル貸機１０の特定が可能であり、計数誘導の通知先を決定することが可能となる。
【０１０７】
計数要否判定部４５ｃは、差メダルデータ４４ｂを判定閾値データ４４ｄに定義された判定基準に従って、計数誘導の要否及び計数誘導のレベルの判定を行う。計数要否判定部４５ｃは、計数誘導データ４４ｃにカードＩＤと計数誘導のレベルを判定の結果を記憶する。計数要否判定部４５ｃによる判定によって計数誘導レベルが変更になった場合で、且つ、該当のカードＩＤに対するタイマがセットされている場合には、該カードＩＤに関するタイマを解除する。
【０１０８】
計数誘導通知部４５ｄは、計数要否判定部４５ｃの判定によって計数誘導レベルが変更になった場合には、計数誘導データ４４ｃに記憶されているカードＩＤに対応する台間メダル貸機１０に、計数誘導データ４４ｃに記憶されている計数誘導のレベルを通知する。また、計数誘導通知部４５ｄは、計数誘導レベルが３の場合には無線発信装置４６を経由して店員の装着するインカム７０に、音声による台間メダル貸機識別番号と計数誘導の通知を行う。また、計数誘導通知部４５ｄは、計数誘導レベル変更に係る計数誘導通知の送信後に、判定閾値データ４４ｄの変更後計数誘導レベルにタイマ値が規定されている場合には、該タイマ値とカードＩＤを指定してタイマのセットを行う。
【０１０９】
タイマ監視部４５ｅは、セットしたタイマのタイムアウトを監視して、タイムアウトが発生した場合に、タイムアウトが発生したカードＩＤに対応する計数誘導データ４４ｃにタイムアウトの発生を記録する。タイムアウトの発生の記録後に、計数誘導通知部４５ｄはタイムアウト発生の記録のあるカードＩＤの計数誘導レベルを１カウントアップして、タイムアウト発生記録をクリアして、カウントアップした計数誘導レベルの処理を実施する。
【０１１０】
次に、図２に示したカード管理装置４０の本実施例に係るデータ構成について説明する。図７は、カード管理装置４０の本実施例に係るデータ構成について説明するための説明図である。
【０１１１】
差メダルデータ４４ｂは、カードＩＤに対応付けて台間メダル貸機識別番号、最終計数以降の大当たり回数、消費メダル枚数、賞出メダル枚数、貸出メダル枚数、貯メダル再プレイ枚数、持メダル再プレイ枚数、計数メダル枚数及び差メダル枚数を有している。図７の差メダルデータ４４ｂは、カードＩＤ「００１０１」に対応付けて台間メダル貸機識別番号が「０２０」、最終計数以降の大当たり回数が「０」、消費メダル枚数が「５００」、賞出メダル枚数が「３００」、貸出メダル枚数が「２００」、貯メダル再プレイ枚数が「３００」、持メダル再プレイ枚数が「０」、計数メダル枚数が「２５０」、差メダル枚数が「５０」で、カードＩＤ「００１０２」に対応付けて台間メダル貸機識別番号が「０２１」、最終計数以降の大当たり回数が「１」、消費メダル枚数が「２００」、賞出メダル枚数が「５００」、貸出メダル枚数が「１００」、貯メダル再プレイ枚数が「０」、持メダル再プレイ枚数が「１５０」、計数メダル枚数が「１５０」、差メダル枚数が「４００」であることを示す。
【０１１２】
計数誘導データ４４ｃは、カードＩＤに対応付けて計数誘導レベルとタイムアウト発生有無を有している。図７の計数誘導データ４４ｃは、カードＩＤ「００１０２」に対応付けて計数誘導レベルが「１」でタイムアウト発生有無が「無」を示す。
【０１１３】
判定閾値データ４４ｄは、計数誘導レベルに対応付けて判定基準値と計数誘導レベルアップタイマ値と有している。判定基準値は差メダル枚数の基準値と最終計数以降の大当たり回数の基準値を有している。図７の判定閾値データ４４ｄは、計数誘導レベル「１」に対応付けて差メダル枚数の基準値が「３００」、最終計数以降の大当たり回数の基準値が「２」、計数誘導レベルアップタイマ値が「３０分」で計数誘導レベル「２」に対応付けて差メダル枚数の基準値が「５００」、最終計数以降の大当たり回数の基準値が「３」、計数誘導レベルアップタイマ値が「１０分」で計数誘導レベル「３」に対応付けて差メダル枚数の基準値が「６００」、最終計数以降の大当たり回数の基準値が「４」、計数誘導レベルアップタイマ値は設定なしで有ることを示す。
【０１１４】
次に、図２に示したカード管理装置４０の遊技媒体計数の要否の判定及び遊技媒体計数誘導通知の処理手順を説明する。図８は、カード管理装置４０の遊技媒体計数の要否の判定及び遊技媒体計数促進の通知の処理手順について説明するためのフローチャートである。
【０１１５】
遊技機２０における大当たり発生を示す通知を受付けた場合（ステップＳ１０１；Ｙｅｓ）には、差メダル算出部４５ｂは、受付けた通知のカードＩＤに対応する差メダルデータ４４ｂの大当たり回数を１カウントアップして（ステップＳ１０２）、ステップＳ１０７の計数要否判定処理に移行する。
【０１１６】
遊技機２０における大当たり発生を示す通知は受付けておらず（ステップＳ１０１；Ｎｏ）、消費メダル枚数、賞出メダル枚数、貸出メダル枚数、貯メダル再プレイ枚数、持メダル再プレイ枚数、計数メダル枚数のいずれかの差メダル更新に係る通知を受付けた場合（ステップＳ１０３；Ｙｅｓ）には、差メダル算出部４５ｂは、受付けたデータを基に受付けた通知のカードＩＤに対応する差メダルデータ４４ｂの更新を行って（ステップＳ１０４）、ステップＳ１０７の計数要否判定処理に移行する。具体的には、受付けた消費メダル枚数、賞出メダル枚数、貸出メダル枚数、貯メダル再プレイ枚数、持メダル再プレイ枚数、計数メダル枚数の中のいずれかの値を受付けた通知カードＩＤに対応する差メダルデータ４４ｂの対応する部分に加算するとともに、差メダルデータ４４ｂの差メダル枚数も併せて更新する。また、受付けた内容が計数メダル枚数であった場合には、差メダルデータ４４ｂの大当たり回数のゼロクリアを行う。
【０１１７】
また、差玉更新に関する通知も受付けてなくて（ステップＳ１０３；Ｎｏ）、設定したタイマのタイムアウトを検知した場合（ステップＳ１０５；Ｙｅｓ）には、タイマ監視部４５ｅは、タイムアウト時に通知されるカードＩＤに対応する計数誘導データ４４ｃのタイムアウト発生の有無に「有」を記録して（ステップＳ１０６）、ステップＳ１１１の計数誘導通知処理に移行する。タイマのタイムアウトも検知しなかった場合（ステップＳ１０５；Ｎｏ）は処理終了である。
【０１１８】
次に、計数要否判定部４５ｃは、更新された差メダルデータ４４ｂを判定閾値データ４４ｄと比較することによって計数要否の判定を実施する（ステップＳ１０７）。この計数要否の判定の結果は、計数誘導データ４４ｃの計数誘導レベルに記憶される。計数要否判定（ステップＳ１０７）の結果、当該会員ＩＤに対する計数誘導レベルの変更の有無を判定し（ステップＳ１０８）、計数誘導レベルの変更が無かった場合（ステップＳ１０８；Ｎｏ）には処理終了となる。
【０１１９】
計数誘導レベルの変更が有った場合（ステップＳ１０８；Ｙｅｓ）には、次に、計数誘導レベルの変更が行われたカードＩＤに対して、タイマの設定の有無を判定する（ステップＳ１０９）。タイマの設定が行われていた場合（ステップＳ１０９；Ｙｅｓ）には、計数要否判定部４５ｃは、該タイマの設定解除を行う（ステップＳ１１０）。タイマの設定が行われていなかった場合（ステップＳ１０９；Ｎｏ）には、ステップＳ１１０のタイマ解除処理をスキップしてステップＳ１１１の計数誘導通知処理に移行する。
【０１２０】
次に、計数誘導通知部４５ｄは、更新された計数誘導データ４４ｃの変更となったレコードの内容に沿って計数誘導通知の送信に係る処理を実施する（ステップＳ１１１）。具体的には、まず、更新された計数誘導データ４４ｃのタイムアウト発生の有無が「有」となっている場合には、計数誘導レベルに１を加算する。次に、計数誘導データ４４ｃのカードＩＤの値で差メダルデータ４４ｂを検索することにより、該カードＩＤの使用されている台間メダル貸機識別番号を特定する。次に、計数誘導通知部４５ｄは、該台間メダル貸機識別番号の台間メダル貸機１０に計数誘導データ４４ｃに設定されている計数誘導レベルを設定して通知する。
【０１２１】
通知した計数誘導レベルが３の場合（ステップＳ１１２；Ｙｅｓ）には、計数誘導通知部４５ｄは、無線発信装置４６を経由して店員の装着するインカム７０に、音声による台間メダル貸機識別番号と計数誘導の通知を行う（ステップＳ１１３）。通知した計数誘導レベルが３でない場合（ステップＳ１１２；Ｎｏ）には、ステップＳ１１３のインカム７０への通知処理をスキップしてステップＳ１１４のタイマセット要否判定処理に移行する。
【０１２２】
計数誘導通知部４５ｄは、判定閾値データ４４ｄの通知した計数誘導レベルに計数誘導レベルアップタイマ値の設定の有無を判定する（ステップＳ１１４）。計数誘導レベルアップタイマ値の設定が有る場合（ステップＳ１１４；Ｙｅｓ）には、計数誘導通知部４５ｄは、カードＩＤと判定閾値データ４４ｄに規定される計数誘導レベルアップタイマ値を指定してタイマをセットする（ステップＳ１１５）。計数誘導レベルアップタイマ値の設定が無い場合（ステップＳ１１４；Ｎｏ）には、処理終了となる。
【０１２３】
本実施例では、台間メダル貸機１０は、差メダル枚数を算出するために消費メダル枚数及び賞出メダル枚数を遊技機２０からに直接入手する構成で説明してきたが、消費メダル枚数及び賞出メダル枚数を別の装置から入手することも可能である。図９は、差メダル枚数を算出するために必要なデータの収集方法に関しての他の方法を説明するための説明図である。
【０１２４】
遊技機１２０は、遊技客の遊技によるメダルの消費枚数及びメダルの賞出枚数をホールコンピュータ９０に通知する。ホールコンピュータ９０は、受け付けた消費メダル枚数及び賞出メダル枚数を台間メダル貸機１１０に通知する。
【０１２５】
台間メダル貸機１１０は、ホールコンピュータ９０から消費メダル枚数及び賞出メダル枚数の通知を受け付けると、遊技客を識別するカードＩＤを付加してそれらの情報をカード管理装置１４０に通知する。また、台間メダル貸機１１０は、遊技客による台間メダル貸機１１０における貸メダル、貯玉再プレイ、持玉再プレイ及び計数操作を認識したならば、遊技客を識別するカードＩＤを付加して貸出メダル枚数、貯メダル再プレイ枚数、持メダル再プレイ枚数、計数メダル枚数をカード管理装置１４０に通知する。
【０１２６】
カード管理装置１４０は、台間メダル貸機１１０から受付けたカードＩＤと消費メダル枚数、賞出メダル枚数、貸出メダル枚数、貯メダル再プレイ枚数、持メダル再プレイ枚数及び計数メダル枚数から、カードＩＤ毎に集計することによって、カードＩＤ毎の差メダル枚数を算出することができる。図９で示す例では大当たりの情報は収集せずに、差メダル枚数と所定の判定基準である閾値との比較によって、計数要否の判定を行う。
【０１２７】
カード管理装置１４０は、計数が必要であると判定した場合には、台間メダル貸機１１０に対して計数誘導通知を行い、該通知を受けた台間メダル貸機１１０は計数促進メッセージを表示装置に表示したり、メダル計数時にメダルを投入するメダル投入口のＬＥＤの点灯／点滅などによるガイドを行う。
【０１２８】
上述してきたように、本実施例では、遊技機２０、１２０及び台間メダル貸機１０、１１０の有する差玉に関する情報をカード管理装置４０、１４０に随時収集して、遊技客との対応付けのできるカードＩＤごとの未計数の差メダル数等を算出する。カード管理装置４０、１４０にて、算出した該差メダル数等を所定の判定基準に従ってメダル計数促進の要否を判定し、メダル計数促進する場合にはカード管理装置４０、１４０から該当のカードＩＤの遊技客の利用する台間メダル貸機１０、１１０にメダル計数の誘導を行うよう通知を行う。メダルの計数誘導の通知を受けた台間メダル貸機１０、１１０は、計数誘導の指示に従って、メダル計数を促すメッセージの表示やメダル計数ユニットのメダル投入口１９ａの位置をＬＥＤ表示で誘導する。以上の構成により、遊技媒体の計数を行うべきタイミングを自動で判定して、遊技媒体計数を行うべきと判定した場合には遊技客に遊技媒体計数促進メッセージの通知及び操作ガイドをすることができる。
【０１２９】
なお、上述した実施例では、計数の要否の判定をカード管理装置４０、１４０としたが、本発明はこれに限定されるものではなく、台間メダル貸機１０、１１０やその他の管理装置で実施することも可能である。
【０１３０】
また、上述した実施例では、カード管理装置４０、１４０の差メダルデータ４４ｂの全体をゼロクリアするような処理は設けていないが、本発明はこれに限定されるものではなく、特定のタイミングで差メダルデータ４４ｂをレコード単位でゼロクリアする処理を行っても良い。例えば、メダルをこぼして床にばらまいてしまって全部は拾いきれなかった場合には、カード管理装置４０、１４０の管理する差メダル数と遊技客が保有しているメダル数が不一致になってしまうことが想定される。そのようなケースを考慮して、差メダル数が十分に小さな数値の場合に、所定の時間間隔内に消費メダル枚数の通知も、賞出メダル枚数の通知もない場合には、当該カードＩＤに対応する差メダルデータをゼロクリアするとしても良い。
【０１３１】
また、上述した実施例では、計数の要否の判定基準に関して差メダル数や大当たり回数としたが、本発明はこれに限定されるものではなく、営業終了までの残り時間や営業終了までの残り時間と差玉との関係で計数の要否の判定基準を分けて設定することも可能である。具体的には、営業終了時刻まで残された時間が所定の時間以上の場合と、所定の時間よりも小さくなった場合で、計数判定の要否の判定基準を分けるということも可能で、営業終了時刻まで残された時間が所定の時間よりも小さくなった場合は、営業終了時刻まで残された時間が所定の時間以上の場合と比較して厳しい条件を設定することも可能である。また、時間だけではなく会員と非会員で計数判定の要否の判定基準を分けて設定できるようにしても良い。
【０１３２】
また、カード管理装置４０、１４０において計数が必要であると判定した場合に、計数誘導は台間メダル貸機１０、１１０の表示操作部１３への表示、メダル投入口ＬＥＤ１９ｂの点灯／点滅及び遊技店従業員のインカム７０への音声通知等によって行うものとしたが、本発明はこれに限定されるものではなく、遊技客及び遊技店の従業員にとってわかり易いその他の伝達手段、伝達方法で実施しても良い。
【０１３３】
また、上述の実施例では、遊技媒体数を関連づける媒体であるカードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。特に、ＩＣチップ付携帯端末を媒体として用いる場合は、当該携帯端末のＩＣチップから非接触にて取得可能な識別情報を用いて携帯端末を一意に識別できるため、当該識別情報に関連付けて遊技媒体数を管理することができる。
【０１３４】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１３５】
以上のように、本発明に係る遊技管理システム及び遊技管理方法は、遊技媒体の計数を行うべきタイミングを自動で判定して、遊技媒体計数を行うべきと判定した場合には遊技客に遊技媒体計数促進メッセージの通知及び操作ガイドをすることに適している。
【符号の説明】
【０１３６】
１０、１１０  台間メダル貸機
１２  紙幣搬送部
１２ａ  紙幣挿入口
１３  表示操作部
１４  リーダライタ
１４ａ  カード挿入口
１４ｂ  かざし部
１５、４３  通信部
１６、４４  記憶部
１６ａ  カードＩＤ
１６ｂ  有価価値データ
１６ｃ、４４ｂ  差メダルデータ
１６ｄ  計数誘導レベル
１６ｅ  計数誘導レベル別動作設定データ
１７、４５  制御部
１７ａ  データ管理部
１７ｂ  差メダル情報通知部
１７ｃ  計数処理部
１７ｄ  計数誘導制御部
１８  払出ユニット
１８ａ  メダル払出口
１９  計数ユニット
１９ａ  メダル投入口
１９ｂ  メダル投入口ＬＥＤ
２０、１２０  遊技機
２１  ドラム部
２２  表示部
２３  メダル投入口
２４  操作部
２５  受け皿
３０  島コントローラ
４０、１４０  カード管理装置
４１  表示部
４２  入力部
４４ａ  カードデータ
４４ｃ  計数誘導データ
４４ｄ  判定閾値データ
４５ａ  カードデータ管理部
４５ｂ  差メダル算出部
４５ｃ  計数要否判定部
４５ｄ  計数誘導通知部
４５ｅ  タイマ監視部
４６  無線発信装置
５０  会員管理装置
６０  景品管理装置
７０  インカム
８０  精算機
９０  ホールコンピュータ
【図１】
2014158630.tif 000003
【図２】
2014158630.tif 000004
【図３】
2014158630.tif 000005
【図４】
2014158630.tif 000006
【図５】
2014158630.tif 000007
【図６】
2014158630.tif 000008
【図７】
2014158630.tif 000009
【図８】
2014158630.tif 000010
【図９】
2014158630.tif 000011